(57)【要約】【課題】工期の短縮を図ることを可能とした壁の構築方法を提供する。【解決手段】複数の壁パネル１０を上下に並設して壁１を形成する壁の構築方法であって、下段の壁パネル１０ａの背面に、上部が下段の壁パネル１０ａの上端よりも上方に突出するように仮設支持部材３１を固定する工程と、下段の壁パネル１０ａの上端面に上段の壁パネル１０ｂを設置するとともに、上段の壁パネル１０の背面に仮設支持部材３の突出部分を固定する工程と、仮設支持部材３で上段の壁パネル１０ｂを支えつつ、上段の壁パネル１０ｂの位置決めを行う工程と、下段の壁パネル１０ａを支持する本設の柱２を上方に延長して上段の壁パネル１０ｂに接続する工程と、を備える。【選択図】図６
2011162970.tif 000002
【特許請求の範囲】
【請求項１】
複数の壁パネルを上下に並設して壁を形成する壁の構築方法であって、
下段の壁パネルの背面に、上部が前記下段の壁パネルの上端よりも上方に突出するように仮設支持部材を固定する工程と、
前記下段の壁パネルの上端面に上段の壁パネルを設置するとともに、前記上段の壁パネルの背面に前記仮設支持部材の突出部分を固定する工程と、
前記仮設支持部材で前記上段の壁パネルを支えつつ、前記上段の壁パネルの位置決めを行う工程と、
前記下段の壁パネルを支持する本設の柱を上方に延長して前記上段の壁パネルに接続する工程と、
を備えることを特徴とする、壁の構築方法。
【請求項２】
複数の壁パネルを上下に並設して壁を形成する壁の構築方法であって、
本設の柱の後側部分を構築する工程と、
前記柱に沿って最下段の壁パネルを配置する工程と、
前記柱の前側部分を構築して前記最下段の壁パネルに接続する工程と、
前記最下段の壁パネルの背面に、上部が前記最下段の壁パネルの上端よりも上方に突出するように仮設支持部材を固定する工程と、
前記最下段の壁パネルの上端面に上段の壁パネルを設置するとともに、前記上段の壁パネルの背面に前記仮設支持部材の突出部分を固定する工程と、
前記仮設支持部材で前記上段の壁パネルを支えつつ、前記上段の壁パネルの位置決めを行う工程と、
前記柱を上方に延長して前記上段の壁パネルに接続する工程と、
を備えることを特徴とする、壁の構築方法。
【請求項３】
前記上段の壁パネルを、左右に隣接する他の壁パネルと、その側端面同士を突き合わせた状態で配設し、
前記柱を、前記壁パネル同士の突き合わせ部分の背面に接続することを特徴とする、請求項１または請求項２に記載の壁の構築方法。
【請求項４】
前記壁パネルの端部の背面側には切欠部が形成されていることで当該壁パネルの主筋が露出しており、前記柱に前記主筋が定着されていることを特徴とする、請求項３に記載の壁の構築方法。
【発明の詳細な説明】
【技術分野】
【０００１】
本発明は、壁の構築方法に関する。
【背景技術】
【０００２】
壁を構築する際にプレキャスト製の壁パネル（以下、単に「壁パネル」いう）を利用することで、施工時の手間を省略し、工期短縮化を図る場合がある（例えば、特許文献１参照）。
【０００３】
従来の壁の構築方法は、予め構築された柱や梁などの構造体に、壁パネルを接合することにより行うのが一般的である。
【先行技術文献】
【特許文献】
【０００４】
【特許文献１】特開平９−２５６５１５号公報
【発明の概要】
【発明が解決しようとする課題】
【０００５】
ところが、従来の壁の構築方法は、柱若しくは梁を構築したあとに壁パネルを配設するものであるため、柱若しくは梁の施工期間（養生期間）に加えて、柱と壁パネルとの接合部の施工期間（養生期間）を確保する必要があり、工期短縮化の妨げとなっていた。
【０００６】
また、柱の施工時および柱と壁パネルとの接合部の施工時のそれぞれにおいて型枠等の仮設部材を取り付け・取り外しを行う必要があり、その作業に手間を要していた。
【０００７】
本発明は、前記の問題点を解決することを目的とするものであり、工期の短縮を図ることを可能とした壁の構築方法を提供することを課題とする。
【課題を解決するための手段】
【０００８】
前記課題を解決するために、本発明の第一の壁の構築方法は、複数の壁パネルを上下左右に並設して壁を形成する方法であって、下段の壁パネルの背面に、上部が前記下段の壁パネルの上端よりも上方に突出するように仮設支持部材を固定する工程と、前記下段の壁パネルの上端面に上段の壁パネルを設置するとともに、前記上段の壁パネルの背面に前記仮設支持部材の突出部分を固定する工程と、前記仮設支持部材で前記上段の壁パネルを支えつつ、前記上段の壁パネルの位置決めを行う工程と、前記下段の壁パネルを支持する本設の柱を上方に延長して前記上段の壁パネルに接続する工程と、を備えることを特徴としている。
【０００９】
かかる壁の構築方法によれば、下段の壁パネルに固定した仮設支持部材より支持した状態で上段の壁パネルの位置決めを行い、上段の壁パネルの位置決めが完了した後に柱を延長するため、壁パネルおよび柱を簡易かつ正確に設置することができ、傾斜部分や曲面部分を含むような場合においては、柱を構築した後に壁パネルを配設する従来の壁の構築方法に比べて、施工期間を短縮することが可能となる。
【００１０】
本発明の第二の壁の構築方法は、複数の壁パネルを上下左右に並設して壁を形成する方法であって、本設の柱の後側部分を構築する工程と、前記柱に沿って最下段の壁パネルを配置する工程と、前記柱の前側部分を構築して前記最下段の壁パネルに接続する工程と、前記最下段の壁パネルの背面に、上部が前記最下段の壁パネルの上端よりも上方に突出するように仮設支持部材を固定する工程と、前記最下段の壁パネルの上端面に上段の壁パネルを設置するとともに、前記上段の壁パネルの背面に前記仮設支持部材の突出部分を固定する工程と、前記仮設支持部材で前記上段の壁パネルを支えつつ、前記上段の壁パネルの位置決めを行う工程と、前記柱を上方に延長して前記上段の壁パネルに接続する工程と、を備えることを特徴としている。
【００１１】
かかる壁の構築方法によれば、最下段の壁パネルについても、簡易かつ正確に設置することが可能となる。
【００１２】
また、前記壁の構築方法において、前記上段の壁パネルを、左右に隣接する他の壁パネルと、その側端面同士を突き合わせた状態で配設し、前記柱を、前記壁パネル同士の突き合わせ部分の背面に接続してもよい。
【００１３】
かかる壁の構築方法によれば、壁の表面に柱が露出することがなく、壁の表面が一定の品質を備えた壁パネルにより覆われているため、表面の特殊なデザインが施された壁の構築を簡易に施工することができる。
【００１４】
また、前記壁パネルの端部の背面側には切欠部が形成されていることで当該壁パネルの主筋が露出しており、前記柱に前記主筋が定着させた状態で当該柱を形成してもよい。
【００１５】
かかる壁の構築方法によれば、壁と柱との一体化を簡易に行うことが可能となり、施工性に優れている。
【発明の効果】
【００１６】
本発明の壁の構築方法によれば、早期かつ安価に傾斜部や曲線部を備える壁を構築することが可能となる。
【図面の簡単な説明】
【００１７】
【図１】本発明の実施の形態に係る壁を示す斜視図である。
【図２】（ａ）および（ｂ）は、図１の壁の構築方法の各施工段階を示す斜視図である。
【図３】（ａ）および（ｂ）は、図２に続く施工段階を示す斜視図である。
【図４】仮設支持部材を示す図であって、（ａ）は側面図、（ｂ）は上端部の拡大斜視図である。
【図５】（ａ）は足元固定金物を示す斜視図、（ｂ）は高さ調整ボルトを示す断面図である。
【図６】（ａ）および（ｂ）は、図３に続く施工段階を示す斜視図である。
【図７】隣り合う壁パネル同士の突き合わせ部分を示す平面図である。
【図８】図６に続く施工段階を示す斜視図である。
【発明を実施するための形態】
【００１８】
本発明の実施の形態について、図面を参照して説明する。
本実施形態では、図1に示すように、傾斜部を備えた壁１を構築する方法について説明する。
【００１９】
壁１は、複数の壁パネル１０を上下に並設することにより形成されている。また、壁パネル１０は、左右に隣り合う他の壁パネル１０と、その側端面同士を突き合わせた状態で配置されている。
【００２０】
壁１は、壁パネル１０の左右の両端に沿って一体に形成された柱２により支持されている。
柱２は、壁パネル１０の左右の突き合わせ部の背面において、両壁パネル１０に跨って配設されている。
【００２１】
本実施形態の壁の構築方法は、柱構築工程と、最下段壁パネル配置工程と、接続工程と、支持部材固定工程と、壁パネル固定工程と、位置決め工程と、柱延長工程と、を備えている。
【００２２】
柱構築工程は、図２（ａ）に示すように、本設の柱２の後側部分（以下、「柱後部２ａ」という）を構築する工程である。
【００２３】
柱後部２ａは、図示しないアンカー筋を介して基礎に接続されている。また、柱後部２ａは、前面からフープ筋２２が突出するとともに、上端面から主筋２１が突出した状態で構築する。なお、本実施形態では、柱後部２ａを現場打ちコンクリートを打設することにより構築するが、柱後部２ａにはプレキャスト部材を使用してもよい。
【００２４】
最下段壁パネル配置工程は、図２（ｂ）に示すように、柱後部２ａの前面に沿って最下段の壁パネル１０を配置する工程である。
【００２５】
本実施形態では、柱後部２ａの側面に固定された仮設取付部材５を利用して、所定の位置に壁パネル１０を配設する。
仮設取付部材５を構成する材料や取り付け方法は限定されるものではないが、本実施形態では山留材（隅部ピース）を使用するものとし、一方の面が壁パネル１０の背面に当接するように、他方の面を柱後部２ａの側面に固定する。なお、壁パネル１０は、クレーン等（図示せず）の機械や、支保工等により支持した状態で柱後部２ａの前方に配置してもよい。
【００２６】
パネル１０は、左右に隣接する他の壁パネル１０と、その側端面を突き合わせた状態で配設する。
【００２７】
なお、壁パネル１０の側端部の背面側には、切欠部１１が形成されている。壁パネル１０の背面側の主筋（以下「壁主筋１２」という）は、この切欠部１１において露出している。すなわち、壁パネル１０の側端部１５は本体部１４よりも薄く、壁主筋１２は、本体部１４の側端面から突出している。
【００２８】
なお、本実施形態では、壁主筋１２の露出部分に対してＬ字状に曲げ加工が施されており、壁主筋１２を背面方向（柱２側）に突出させている（図７参照 ）。
壁パネル１０を柱後部２ａに沿って配置することにより、Ｌ字状の壁主筋１２が、柱２のフープ筋２２の間に挿入される。
【００２９】
接続工程は、図３（ａ）に示すように、柱２の前側部分（以下「柱前部２ｂ」という）を構築するとともに、柱２と最下段の壁パネル１０とを接続する工程である。
【００３０】
柱前部２ｂの構築は、柱主筋２１を配筋した後、柱前部２ｂとともに壁パネル１０の切欠部１１に対してコンクリートを打設することにより行う。これにより、壁主筋１２を巻き込んだ状態で柱２が形成されるため、壁パネル１０と柱２との一体化が実現する。
【００３１】
支持部材固定工程は、図３（ｂ）に示すように、最下段（または下段）の壁パネル１０（以下、「下壁パネル１０ａ」という）の背面に仮設支持部材３を固定する工程である。
【００３２】
仮設支持部材３は、Ｈ形鋼により構成された部材であって、その長手方向が上下方向となるように下壁パネル１０ａの背面に配置した状態で固定する。
【００３３】
本実施形態の仮設支持部材３は、下壁パネル１０ａの高さ方向中間付近から上段の壁パネル１０（以下、「上壁パネル１０ｂ」という）の中間付近にまでの到達する長さを有している（図６参照）。
仮設支持部材３は、上半分が下壁パネル１０ａの上端よりも上方に突出するように、下壁パネル１０ａに下半分を固定する。
【００３４】
なお、仮設支持部材３を構成する材料はＨ形鋼に限定されるものではなく、例えば、溝型鋼やＬ形鋼等の他の鋼材やプレキャストコンクリート部材を使用してもよい。また、仮設支持部材３の長さや断面寸法も適宜設定すればよい。
【００３５】
仮設支持部材３には、複数のボルト孔が形成されており、このボルト孔にボルト３１を挿通させて、下壁パネル１０ａの背面に当該ボルト３１を螺合することにより固定する。このとき、仮設支持部材３と下壁パネル１０ａとの間には、図４（ａ）に示すように、調整板３２が介設されており、仮設支持部材３と下壁パネル１０ａ（壁パネル１０）との間に隙間が形成されるように構成されている。
本実施形態では、ボルト３１の位置に対応して調整板３２を配設するが、調整板３２の配置は限定されるものではない。また、調整板３２は、必要に応じて配置すればよく、省略してもよい。また、仮設支持部材３の固定に使用するボルト３１の本数は限定されるものではなく、適宜決定すればよい。
【００３６】
本実施形態では、下壁パネル１０ａの背面に２本の仮設支持部材３を固定する。なお、仮設支持部材３の本数は限定されるものではなく、壁パネル１０の形状寸法、重量、傾き等に応じて適宜設定することが可能である。
【００３７】
また、本実施形態では、図３（ｂ）に示すように、仮設支持部材３の外側（柱２側）に沿って、足元固定金物３３を固定する。
足元固定金物３３は、上半部分が下壁パネル１０ａの上端よりも上方に突出するように、下半部分が固定されている。
【００３８】
足元固定金物３３は、図５（ａ）に示すように、溝型鋼により構成された部材であって、その長手方向が上下方向となるように下壁パネル１０ａの背面に固定されている。
足元固定金物３３は、下壁パネル１０ａ上部と上壁パネル１０ｂと下部との間に跨って配置される部材であって、仮設支持部材３よりも短い長さに構成されている。
【００３９】
図５（ａ）に示すように、足元固定金物３３の上半部分には、上壁パネル１０ｂに固定するためのスリット３３ａが形成されている。足元固定金物３３は、スリット３３ａを挿通するボルト３１により上壁パネル１０ｂの下部を固定する。なお、上壁パネル１０ｂの固定は、スリット３３ａにより高さ調整が可能となっている。足元固定金物３３には、スリット３３ａに代えて長孔が形成されていてもよい。また、上壁パネル１０ｂの高さ調整を行う必要がない場合には、通常のボルト孔が形成されていてもよい。
【００４０】
なお、足元固定金物３３を構成する材料は溝型鋼に限定されるものではなく、例えば、Ｌ形鋼、Ｈ形鋼、平板鋼等、他の材料により構成してもよい。また、足元固定金物３３の長さ寸法や断面寸法は、上壁パネル１０ｂの下端部の固定が可能であれば、適宜設定することが可能である。また、足元固定金物３３は、必要に応じて配置すればよく、省略してもよい。
【００４１】
壁パネル固定工程は、図６（ａ）に示すように、下壁パネル１０ａ上に、上壁パネル１０ｂを固定する工程である。
【００４２】
壁パネル固定工程では、上壁パネル１０ｂをクレーン等（図示せず）により吊持した状態で、下壁パネル１０ａの上端面上に配置し、当該上壁パネル１０ｂの背面に仮設支持部材３の突出部分を固定する。
仮設支持部材３の上壁パネル１０ｂへの固定は、図４（ａ）および（ｂ）に示すように、仮設支持部材３の上端に固定された押引調整ピース３４を介して行う。
【００４３】
押引調整ピース３４は、断面視Ｌ字状の金物であって、一片３４ａが仮設支持部材３の上端面に固定されており、他片３４ｂが上壁パネル１０ｂの背面に沿った状態で配設されている。
押引調整ピース３４の他片３４ｂには、スリット３４ｃが形成されており、上壁パネル１０ｂに埋め込まれたアンカーボルト３５が挿通可能に構成されている。
【００４４】
押引調整ピース３４は、スリット３４ｃにアンカーボルト３５を挿通させるため、上壁パネル１０ｂ（アンカーボルト３５）の高さが変化しても対応可能である。なお、スリット３４ｃに代えて長孔が形成されていてもよい。
【００４５】
上壁パネル１０ｂは、左右に隣接する他の上壁パネル１０ｂと、その側端面を突き合わせた状態で配設する。
【００４６】
このとき、壁パネル１０の切欠部１１から露出するＬ字状の壁主筋１２が、柱２側に突出している。また、左右の壁パネル１０同士に跨った状態のつなぎ筋１２ａを配筋する（図７参照）。
【００４７】
左右に隣り合う壁パネル１０ｂ同士の突き合わせ部には、図６（ａ）および図７に示すように、当該突き合わせ部に形成された縦目地１３に沿って止水板４を配設する。
【００４８】
本実施形態の壁パネル１０は、隣接する他の壁パネル１０との突合せ面に溝が形成されており、壁パネル１０同士を突き合わせた状態で、止水板４の配設が可能な配設孔が形成されている。
本実施形態では、止水板４として、セメント板を使用するが、止水板４を構成する材料は限定されるものではなく、例えばガスケットやゴム板等の樹脂性板材を使用してもよい。また、止水板４の設置方法は限定されるものではなく、適宜行えばよい。例えば、溝４１を形成することなく、縦目地１３に沿って壁パネル１０の背面に止水板４を貼り付けてもよい。
【００４９】
位置決め工程は、上壁パネル１０ｂの位置決めを行う工程である。
【００５０】
上壁パネル１０ｂの位置決めは、仮設支持部材３により上壁パネル１０ｂ支持するとともに足元固定金物３３により上壁パネル１０ｂの足元のずれを抑制した状態で、上壁パネル１０ｂの倒れ角度、上端面のレベル、下壁パネル１０ａとの並び等を調整することにより行う。
【００５１】
上壁パネル１０ｂの倒れ角度の調整は、押引調整ピース３４とアンカーボルト３５を利用して、上壁パネル１０ｂと仮設支持部材３との間の隙間の長さを調整することにより行う。
仮設支持部材３と下壁パネル１０ａとの間には、調整板３２が介設されているため、壁パネル１０ａの上端面に配置された上壁パネル１０ｂと仮設支持部材３との間に隙間が形成されている。そのため、押引調整ピース３４をアンカーボルト３５に固定する際に、ナットの回転数により、当該隙間の長さを調整し、上壁パネル１０ｂの前後位置（倒れ角度）を調整する（図４（ｂ）参照）。
【００５２】
また、上壁パネル１０ｂのレベル調整は、図５（ｂ）に示すように、上壁パネル１０ｂのか端面から突設された高さ調整ボルト１６により行う。
つまり、高さ調整ボルト１６を回転させることにより、上壁パネル１０ｂからの突出長を伸縮させて、下壁パネル１０ａとの間隔を調整する。これにより、上壁パネル１０ｂのレベル調整を行うことが可能となる。
【００５３】
柱延長工程は、図６（ｂ）および図８に示すように、下壁パネル１０ａを支持する本設の柱２を上方に延長して上壁パネル１０ｂに接続する工程である。
【００５４】
本実施形態の柱延長工程は、配筋工、型枠工、コンクリート打設工および型枠撤去工を備えている。
【００５５】
配筋工では、柱２の主筋（以下、「柱主筋２１」という）とフープ筋２２の配筋を行う。
柱主筋２１は、柱２の既設部分の上端から突出した柱主筋２１に、所定の重ね継手を確保した状態で鉄筋を連結することにより延長する。
【００５６】
柱主筋２１は、後工程において、柱２を延長する際に鉄筋を連結することが可能となるように、所定の重ね継手長さが確保できる長さを有している（図８参照）。さらに柱２を延長することがない場合は、柱主筋２１は、柱２の上端から所定のコンクリート被りを確保することが可能となるように、柱２の上端面よりも低い高さとする。
【００５７】
柱主筋２１，２１，…の周囲には、フープ筋２２を配筋する。壁パネル１０の切欠部１１から露出した壁パネルの壁主筋１２は、柱主筋２１の間に入り込ませる。
【００５８】
型枠工では、図７に示すように、上壁パネル１０ｂの切欠部１１と柱２となる空間とを囲むように、柱２の鉄筋（柱主筋２１およびフープ筋２２）の外周囲に沿って型枠２３を設置する。型枠２３の固定方法は限定されるものではなく、適宜行う。
【００５９】
コンクリート打設工では、型枠２３内にコンクリートを打設し、コンクリートに所定の強度が発現するまで養生する。
これにより、壁主筋１２を巻き込んだ状態で柱２が形成されるため、壁パネル１０と柱２との一体化が実現する。
【００６０】
コンクリートの養生後、所定の強度が発現したら、図８に示すように、型枠２３を撤去する。
【００６１】
支持部材固定工程、壁パネル固定工程、位置決め工程および柱延長工程を繰り返し実施することで、壁１を所望の形状に形成する。
【００６２】
以上、構造物の構築方法によれば、下壁パネル１０ａと仮設支持部材３を利用することで、上壁パネル１０ｂの位置決めを簡易に行うことができるため、施工性に優れている。
また、壁１が傾斜部分や曲線部分を含む場合であっても、早期かつ安価に施工を行うことができる。
【００６３】
また、柱２の施工と、柱２と壁パネル１０との接合とを同時に行うことで、早期施工の実現を可能としている。
柱２は壁パネル１０の背面に形成するため、壁１の表面に柱２が露出することがなく、表面が一定の品質を備えた壁パネル１０により覆われた壁を形成することができる。そのため、表面の特殊なデザインが施されえた壁１の構築を簡易に施工することができる。
【００６４】
また、壁パネル１０の突き合わせ部分には止水板４を配置しているため、柱２のコンクリート打設に伴い、縦目地１３から壁１の表面にノロが流出することが防止されている。
【００６５】
以上、本発明について、好適な実施形態について説明した。しかし、本発明は、前述の各実施形態に限られず、前記の各構成要素については、本発明の趣旨を逸脱しない範囲で、適宜変更が可能であることはいうまでもない。
【００６６】
例えば、前記実施形態では、傾斜した壁を構築する場合について説明したが、壁は傾斜している必要はなく、垂直にしていてもよい。
また、本発明の壁の構築方法は、曲線部を有した壁を構築する場合に採用してもよい。
【００６７】
また、壁パネルの端部には、必ずしも切欠部が形成されている必要はない。
また、前記実施形態では、壁パネルの背面に柱を形成する場合について説明したが、柱と壁パネルの位置関係は前記実施形態のものに限定されるものではなく、例えば、壁パネルを柱の側面に当接させてもよい。
【００６８】
また、前記実施形態では、各壁パネルの左右に柱を配設する場合について説明したが、壁パネルに対する柱の本数は限定されるものではない。例えば、柱を配設することなく柱パネル同士連結してもよく、柱は、必ずしも各壁パネルの両端に配設されている必要はない。
【００６９】
また、本実施形態では、柱２を現場施工により構築する場合について説明したが、柱２の構築（延長）方法は限定されるものではなく、例えば、プレキャスト部材を上下に連結するとともに、壁パネルと接続することにより構築してもよい。
【００７０】
また、最下段の壁パネル１０の構築方法は、前記の方法に限定されるものではなく、適宜構築することが可能である。
【符号の説明】
【００７１】
１      壁
１０    壁パネル
１０ａ  下壁パネル（下段の壁パネル）
１０ｂ  上壁パネル（上段の壁パネル）
１１    切欠部
１２    壁主筋（主筋）
２      柱
２ａ    柱後部（柱の後側部分）
２ｂ    柱前部（柱の前側部分）
３      仮設支持部材
４      止水板
【図１】
2011162970.tif 000003
【図２】
2011162970.tif 000004
【図３】
2011162970.tif 000005
【図４】
2011162970.tif 000006
【図５】
2011162970.tif 000007
【図６】
2011162970.tif 000008
【図７】
2011162970.tif 000009
【図８】
2011162970.tif 000010